【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
ディスプレイと、ハウジングと、入力デバイスとを有する移動可能な携帯型メディアデバイスであって、
前記入力デバイスが、前記ハウジングと協働するタッチパッドを有し、該タッチパッドは回転入力を受信するようにかつ前記ハウジングに対するジンバル動作が可能になっており、この場合前記タッチパッドのジンバル動作は前記タッチパッドを前記ハウジングに対して浮揚させており、一方で該ハウジングに対して制約されかつ前記タッチパッドの入力表面が前記ハウジングの表面に対して平行になっている場合、前記ハウジングに対して垂直に移動可能になっており、これにより、複数のポイントで前記ハウジングと接触する前記タッチパッドがハウジングに対して複数の自由度で前記複数のポイント周りに移動可能であり、
前記タッチパッドは第１のポイントについてピボットし、その場合には前記第１のポイントの向かい側に位置するタッチパット上の第１のゾーンに力が作用し、さらに、前記タッチパッドは第２のポイントについてピボットし、その場合には前記第２のポイントの向かい側に位置するタッチパット上の第２のゾーンに力が作用し、
それぞれの前記複数の自由度が前記入力デバイスのボタン(button)機能と関連し、さらに前記タッチパッドのジンバル動作によって、前記移動可能な携帯型メディアデバイスのユーザが前記タッチパッドを押圧することによって選択を行えるようになっている、
ことを特徴とする移動可能な携帯型メディアデバイス。
【請求項２】
前記移動可能な携帯型メディアデバイスがメディアプレイヤーを有していることを特徴とする請求項１に記載の移動可能な携帯型メディアデバイス。
【請求項３】
前記タッチパッドの入力表面が前記ハウジングの外部表面とほぼ共通平面であることを特徴とする請求項２に記載の移動可能な携帯型メディアデバイス。
【請求項４】
前記タッチパッドが複数の空間的に分かれたゾーンを有しており、前記タッチパッドが前記ゾーンの領域内で押圧された場合に、それぞれのゾーンが、分かれたユーザ入力信号を生成する対応のインジケータを有していることを特徴とする請求項１に記載の移動可能な携帯型メディアデバイス。
【請求項５】
前記タッチパッドが少なくとも４つの複数の空間的に分かれたゾーンを有していることを特徴とする請求項４に記載の移動可能な携帯型メディアデバイス。
【請求項６】
前記タッチパッドが極座標システムに基づいていることを特徴とする請求項１に記載の移動可能な携帯型メディアデバイス。
【請求項７】
前記タッチパッドが円形状を成していることを特徴とする請求項１に記載の移動可能な携帯型メディアデバイス。
【請求項８】
前記選択がメディアファイルの選択であることを特徴とする請求項１に記載の移動可能な携帯型メディアデバイス。
【請求項９】
前記ハウジングが空間を画定しており、かつ前記タッチパッドとハウジングが、前記ハウジングの前記空間内で前記タッチパッドを浮揚可能な状態にしていることを特徴とする請求項１に記載の移動可能な携帯型メディアデバイス。
【請求項１０】
前記タッチパッドが１つ以上のクリックアクションを可能にするように構成されていることを特徴とする請求項１に記載の移動可能な携帯型メディアデバイス。
【請求項１１】
ディスプレイと、ハウジングと、該ハウジングと協働する入力デバイスとを有する、移動可能な携帯型メディアデバイスであって、
前記入力デバイスが、前記ハウジングに対して浮揚可能にジンバルし、一方で該ハウジングに対して制約されかつタッチパッドの入力表面がハウジングの表面に対して平行になっている場合には該タッチパッドがハウジングの表面に対して垂直に移動可能になっており、これにより、複数のポイントで前記ハウジングと接触する前記入力デバイスが前記ハウジングに対して複数の自由度で前記複数のポイント周りに移動可能でかつユーザからの回転入力を受信可能になっており、
前記タッチパッドは第１のポイントについてピボットし、その場合には前記第１のポイントの向かい側に位置するタッチパット上の第１のゾーンに力が作用し、さらに、前記タッチパッドは第２のポイントについてピボットし、その場合には前記第２のポイントの向かい側に位置するタッチパット上の第２のゾーンに力が作用し、
前記入力デバイスが、複数の空間的に分かれたゾーンを有しており、それぞれのゾーンが、前記入力デバイスが前記ゾーンの領域内で押圧された場合、分かれたユーザ入力信号を発生する対応のインジケータを有しており、それぞれの前記複数の自由度が前記入力デバイスのボタン(button)機能と関連し、さらに前記入力デバイスのジンバル動作によって前記移動可能な携帯型メディアデバイスのユーザが前記タッチパッドを押圧することによって選択を行うことが可能になっていることを特徴とする、
移動可能な携帯型メディアデバイス。
【請求項１２】
前記移動可能な携帯型メディアデバイスがメディアプレイヤーを有していることを特徴とする請求項１１に記載の移動可能な携帯型メディアデバイス。
【請求項１３】
前記移動可能な携帯型メディアデバイスがタッチパッドを有していることを特徴とする請求項１１に記載の移動可能な携帯型メディアデバイス。
【請求項１４】
前記タッチパッドが少なくとも４つの複数の空間的に分かれたゾーンを有していることを特徴とする請求項１１に記載の移動可能な携帯型メディアデバイス。
【請求項１５】
前記タッチパッドが極座標システムに基づいていることを特徴とする請求項１１に記載の移動可能な携帯型メディアデバイス。
【請求項１６】
前記タッチパッドが円形状を成していることを特徴とする請求項１１に記載の移動可能な携帯型メディアデバイス。
【請求項１７】
前記タッチパッドの入力表面が前記ハウジングの外部表面とほぼ共通平面であることを特徴とする請求項１１に記載の移動可能な携帯型メディアデバイス。
【請求項１８】
前記ハウジングが空間を画定しており、かつ前記タッチパッドとハウジングが、前記ハウジングの前記空間内で前記タッチパッドを浮揚可能な状態にしていることを特徴とする請求項１１に記載の移動可能な携帯型メディアデバイス。
【請求項１９】
前記タッチパッドが１つ以上のクリックアクションを可能にするように構成されていることを特徴とする請求項１１に記載の移動可能な携帯型メディアデバイス。
【請求項２０】
ディスプレイと、ハウジングと、入力デバイスとを有する移動可能な携帯型メディアデバイスであって、
前記入力デバイスが、前記ハウジングと協働するタッチパッドを有しており、
前記入力デバイスが、前記ハウジングに対して浮揚可能にジンバルし、一方で該ハウジングに対して制約されかつ前記タッチパッドの入力表面がハウジングの表面に対して平行になっている場合には前記タッチパッドがハウジングの表面に対して垂直に移動可能になっており、これにより、複数のポイントで前記ハウジングと接触する前記入力デバイスが前記ハウジングに対して複数の自由度で前記複数のポイント周りに移動可能でかつユーザからの回転入力を受信可能になっており、
前記タッチパッドは第１のポイントについてピボットし、その場合には前記第１のポイントの向かい側に位置するタッチパット上の第１のゾーンに力が作用し、さらに、前記タッチパッドは第２のポイントについてピボットし、その場合には前記第２のポイントの向かい側に位置するタッチパット上の第２のゾーンに力が作用し、
前記タッチパッドが、少なくとも複数の空間的に分かれたゾーンを有しており、それぞれのゾーンが、前記入力デバイスが前記ゾーンの領域内で押圧された場合、分かれたユーザ入力信号を発生する対応のインジケータを有しており、それぞれの前記複数の自由度が前記入力デバイスのボタン(button)機能と関連し、前記入力デバイスのジンバル動作によって前記移動可能な携帯型メディアデバイスのユーザが前記タッチパッドを押圧することによって選択を行うことが可能になっていることを特徴とする、
移動可能な携帯型メディアデバイス。
【請求項２１】
前記タッチパッドが少なくとも４つの複数の空間的に分かれたゾーンを有していることを特徴とする請求項２０に記載の移動可能な携帯型メディアデバイス。
【請求項２２】
前記タッチパッドが極座標システムに基づいていることを特徴とする請求項２０に記載の移動可能な携帯型メディアデバイス。
【請求項２３】
前記タッチパッドが円形状を成していることを特徴とする請求項２０に記載の移動可能な携帯型メディアデバイス。
【請求項２４】
前記タッチパッドの入力表面が前記ハウジングの外部表面とほぼ共通平面であることを特徴とする請求項２０に記載の移動可能な携帯型メディアデバイス。
【請求項２５】
前記ハウジングが空間を画定しており、かつ前記タッチパッドとハウジングが、前記ハウジングの前記空間内で前記タッチパッドを浮揚可能な状態にしていることを特徴とする請求項２０に記載の移動可能な携帯型メディアデバイス。
【請求項２６】
前記タッチパッドが１つ以上のクリックアクションを可能にするように構成されていることを特徴とする請求項２０に記載の移動可能な携帯型メディアデバイス。
【請求項２７】
ディスプレイと、ハウジングと、入力デバイスとを有する移動可能な携帯型メディアデバイスであって、
前記入力デバイスが、タッチパッドであって、
該タッチパッドが、前記ハウジングに対して浮揚可能にジンバルし、一方で該ハウジングに対して制約されておりかつタッチパッドの入力表面がハウジングの表面に対して平行になっている場合には、前記タッチパッドがハウジングの表面に対して垂直に移動可能になっているタッチパッドを有しており、これにより、複数のポイントで前記ハウジングと接触する前記入力デバイスが前記ハウジングに対して複数の自由度で前記複数のポイント周りに移動可能でかつユーザからの回転入力を受信可能になっており、
前記タッチパッドは第１のポイントについてピボットし、その場合には前記第１のポイントの向かい側に位置するタッチパット上の第１のゾーンに力が作用し、さらに、前記タッチパッドは第２のポイントについてピボットし、その場合には前記第２のポイントの向かい側に位置するタッチパット上の第２のゾーンに力が作用し、
前記タッチパッドは３６０度の回転を通じて回転する指の円形状の動作にかかる連続的な起動を含む回転ユーザ入力を可能にしており、
前記タッチパッドが、複数の独立した、空間的に分かれたゾーンを有しており、
それぞれのゾーンが、ハウジングに対して移動可能で該ゾーンに関連するボタン(button)機能を実行するようになっており、
複数の自由度のそれぞれが前記入力デバイスのボタン機能と関連しており、前記入力デバイスのジンバル動作によって前記移動可能な携帯型メディアデバイスのユーザが前記タッチパッドを押圧することによって選択を行うことが可能になっていることを特徴とする移動可能な携帯型メディアデバイス。
【請求項２８】
前記ハウジングがフレームを有しており、該フレームが空間を画定しており、前記タッチパッドと前記フレームが、前記フレームの空間内でタッチパッドを浮揚させるように構成されていることを特徴とする請求項２７に記載の移動可能な携帯型メディアデバイス。
【請求項２９】
前記タッチパッドが１つ以上のクリックアクションを可能にするように構成されていることを特徴とする請求項２７に記載の移動可能な携帯型メディアデバイス。